(57)【要約】【課題】血液検査のコスト低減化や血液の保存性及び検査精度の向上を図ると共に、採血作業及び血液検査作業の簡素化を図る。【解決手段】本発明に係る血液分離器具１０は、下端側から毛細管現象を利用して内部に血液を吸引し採取する筒状の採血手段１１と、採血手段１１の上端側を加圧して内部の血液を下端側から押し出す加圧手段１２と、加圧手段１２により押し出された血液を希釈液１４内に収容する収容手段１５とを備えていることを特徴とする。【選択図】図１
2011122900.tif 000002
【特許請求の範囲】
【請求項１】
下端側から毛細管現象を利用して内部に血液を吸引し採取する筒状の採血手段と、
該採血手段の上端側を加圧して内部の血液を下端側から押し出す加圧手段と、
該加圧手段により押し出された血液を希釈液内に収容する収容手段と、
を備えていることを特徴とする血液分離器具。
【請求項２】
前記採血手段の下端と前記収容手段内の希釈液の表面との間には表面張力が発生する程度の僅かな隙間が形成されている請求項１に記載の血液分離器具。
【請求項３】
下端部に前記採血手段を保持すると共に、上端部から挿入される前記加圧手段を保持する保持手段を備えている請求項１又は２に記載の血液分離器具。
【請求項４】
前記採血手段は、突起部により分割された互いに連通する複数の細長空間を備え、該各細長空間を取り囲む周壁内面には凹凸部が形成されている請求項１〜３のいずれか１の請求項に記載の血液分離器具。
【請求項５】
前記加圧手段は、押圧操作するためのプッシュボタン部と、該プッシュボタン部の下端部に突設された軸部とを備え、該軸部の下端に加圧面が形成されている請求項１〜４のいずれか１の請求項に記載の血液分離器具。
【請求項６】
前記保持手段は、前記加圧手段の動きを拘束するロック手段を備え、該ロック手段は、前記加圧手段の軸部を両側から挟持することにより該軸部に係合可能な係合部と、該係合部と前記加圧手段の軸部との係合状態を解除させるための解除操作部とを備えている請求項３〜５のいずれか１の請求項に記載の血液分離器具。
【請求項７】
前記ロック手段の解除操作部は、前記保持手段の外面から突出し、前記収容手段は、前記保持手段が挿入可能な開口部を備え、該開口部に前記保持手段を挿入すると、該保持手段により前記解除操作部が内側に押圧され、前記係合部と前記加圧手段の軸部との係合状態が解除され、前記加圧手段の下方への動きを許容する請求項６に記載の血液分離装置。
【請求項８】
前記収容手段の開口部を取り囲む端部にキャップが着脱可能に形成されている請求項７に記載の血液分離装置。
【発明の詳細な説明】
【技術分野】
【０００１】
本発明は、血液分離器具に関し、特に、採取した血液をその場で、血球及び細胞成分と血漿又は血清に分離する血液分離器具に関するものである。
【背景技術】
【０００２】
一般に、採血には、医師等一定の有資格者が注射器を用いて静脈から血液を採取する一般採血と、検査対象者本人が自分の手の指等に採血針を刺して血液を採取する自己採血とがある。
【０００３】
一般採血により採取した血液は、採取容器に密閉された状態で検査場所に搬送され、そこで遠心分離器により、血球及び細胞成分と血漿又は血清に分離された後、検査が行われる。また、自己採血により採取された血液は、濾紙に含浸され乾燥された状態で検査場所に搬送され、その検査場所にて濾紙を溶剤に溶解させ、分析が行われる。
【先行技術文献】
【特許文献】
【０００４】
【特許文献１】特開２００６−３２２８２９号公報
【発明の概要】
【発明が解決しようとする課題】
【０００５】
しかしながら、上記した従来の一般採血の場合、採取した血液を遠心分離した後、上澄みの血球及び細胞成分をスポイトで吸い取り、血漿分析機用の特殊容器に移さなければならないので、血液を血球及び細胞成分と血漿又は血清に分離するのに手間が掛かりコスト高になり、また、特殊容器に移す際に、取り違う等の事故が起きる虞れがあった。
【０００６】
また、血液中の血球は時間の経過と共に溶血し、血液の常温放置での精度保証期間はせいぜい１日程度であるので、それ以後に検査を行った場合にはナトリウム、カリウム、クロム等の電解質物質の測定数値に悪影響を及ぼしたり、ＧＯＴ、ＧＰＴ等の酵素系の数値の測定ができなくなったりし、診療、診断等の指針となるような検査数値が期待できなくなるといった問題が生じていた。
【０００７】
また、遠心分離器により血液を分離させ、所定項目の検査を行うためには、１回に５〜１０ｍＬ程度の採血量が必要とされていた。したがって、検査対象者本人で採血することは困難であり、医師等一定の有資格者が採血することになるので、検査対象者が病院等に行くか、或いは有資格者が検査対象者の居所に出向いたりする必要があり、採血に手間が掛かっていた。
【０００８】
一方、上記した従来の自己採血は、血液を濾紙に含浸させ乾燥させた後に溶剤に溶解させる工程を必要とするため、斯かる工程を経ても検査数値に影響を与えるおそれのない特定の検査項目に関してのみ有効であり、これらの検査項目以外での実施は不可能であった。
【０００９】
本発明は上記事情を鑑みてなされたものであり、血液検査のコスト低減化や血液の保存性及び検査精度の向上を図ることができると共に、採血作業及び血液検査作業の簡素化を図ることのできる血液分離器具を提供することを目的とするものである。
【課題を解決するための手段】
【００１０】
上記した目的を達成するため、本発明に係る血液分離器具は、下端側から毛細管現象を利用して内部に血液を吸引し採取する筒状の採血手段と、該採血手段の上端側を加圧して内部の血液を下端側から押し出す加圧手段と、該加圧手段により押し出された血液を希釈液内に収容する収容手段とを備えていることを特徴とする。
【００１１】
そして、本発明に係る血液分離器具において、前記採血手段の下端と前記収容手段内の希釈液の表面との間には表面張力が発生する程度の僅かな隙間が形成されているのが好ましい。
【００１２】
また、本発明に係る血液分離器具は、下端部に前記採血手段を保持すると共に、上端部から挿入される前記加圧手段を保持する保持手段を備えているのが好ましい。
【００１３】
さらに、本発明に係る血液分離器具において、前記採血手段は、突起部により分割された互いに連通する複数の細長空間を備え、該各細長空間を取り囲む周壁内面には凹凸部が形成されているのが好ましい。
【００１４】
さらにまた、本発明に係る血液分離器具において、前記加圧手段は、押圧操作するためのプッシュボタン部と、該プッシュボタン部の下端部に突設された軸部とを備え、該軸部の下端に加圧面が形成されているのが好ましい。
【００１５】
さらに、本発明に係る血液分離器具において、前記保持手段は、前記加圧手段の動きを拘束するロック手段を備え、該ロック手段は、前記加圧手段の軸部を両側から挟持することにより該軸部に係合可能な係合部と、該係合部と前記加圧手段の軸部との係合状態を解除させるための解除操作部とを備えているのが好ましい。
【００１６】
さらに、本発明に係る血液分離器具において、前記ロック手段の解除操作部は、前記保持手段の外面から突出し、前記収容手段は、前記保持手段が挿入可能な開口部を備え、該開口部に前記保持手段を挿入すると、該保持手段により前記解除操作部が内側に押圧され、前記係合部と前記加圧手段の軸部との係合状態が解除され、前記加圧手段の下方への動きを許容するのが好ましい。
【００１７】
さらに、本発明に係る血液分離器具において、前記収容手段の開口部を取り囲む端部にキャップが着脱可能に形成されているのが好ましい。
【発明の効果】
【００１８】
本発明によれば、血液検査のコスト低減化や血液の保存性及び検査精度の向上を図ることができる。また、微量の採血量で済むため、採血作業及び血液検査作業の簡素化を図ることができる。
【図面の簡単な説明】
【００１９】
【図１】本発明に係る血液分離器具を一部破断して示す正面図である。
【図２】本発明に係る血液分離器具の採血部品を示す正面図である。
【図３】本発明に係る血液分離器具の採血部品を示す底面図である。
【図４】本発明に係る血液分離器具の採血部品を示す側面図である。
【図５】本発明に係る血液分離器具の採血部品の内面を示す拡大図である。
【図６】本発明に係る血液分離器具の加圧部品を示す正面図である。
【図７】本発明に係る血液分離器具の加圧部品を示す平面図である。
【図８】本発明に係る血液分離器具の保持部品を示す正面図である。
【図９】本発明に係る血液分離器具の保持部品を示す平面図である。
【図１０】本発明に係る血液分離器具の保持部品を示す側面図である。
【図１１】本発明に係る血液分離器具のロック部品を示す正面図である。
【図１２】本発明に係る血液分離器具のロック部品を示す側面図である。
【図１３】本発明に係る血液分離器具のロック部品を示す平面図である。
【発明を実施するための形態】
【００２０】
以下、図面を参照しつつ、本発明の実施の形態について説明する。
【００２１】
図１は本発明に係る血液分離器具１０を一部破断して示す正面図であり、この血液分離器具１０は、血液を採取する採血部品１１と、採血部品１１の上方に配設される加圧部品１２と、採血部品１１及び加圧部品１２を保持する保持部品１３と、内部に希釈液１４を収容する収容部品１５とを備えて構成されている。
【００２２】
図２〜図４に示されているように、採血部品１１は、筒状を成し、その外形は上端部１６が円形を成し、下方に向かうに従って次第に扁平形状となるように形成されている。採血部品１１の中空部１７は所定の容積（例えば、約６５μリットル）を有しており、互いに対向する複数対（図示では二対）の突起部１８により複数（図示では３個）の細長空間１９ａ，１９ｂ，１９ｃに分割されている。各細長空間１９ａ，１９ｂ，１９ｃは互いに連通しており、図５に良く示されているように、各細長空間１９ａ，１９ｂ，１９ｃを取り囲む周壁内面には凹凸部２０が形成されており、この凹凸部２０により毛細管現象を促進することができる。また、採血部品１１の下端部には段差部４９が形成されている。
【００２３】
また、採血部品１１の下端と収容部品１５内の希釈液１４の表面との間には表面張力が発生する程度の僅かな隙間５１（図１参照）が形成されており、この隙間５１は２〜５ｍｍ程度であるのが好ましい。
【００２４】
図６及び図７に示されているように、加圧部品１２は、押圧操作するためのプッシュボタン部２１と、プッシュボタン部２１の下端部に突設された軸部２２とを備えている。プッシュボタン部２１は、平面形状が円形となるように複数の板状部材２３を櫛歯状に接続することにより形成され、上端部は半球状に形成され、下端面２４は平坦に形成されている。また、軸部２２は、十字状の平断面を有し、下端には平坦な加圧面２５が形成され、加圧面２５の直上部分に溝部２６が形成されている。
【００２５】
図８〜図１０に示されているように、保持部品１３は、凹凸の外面を有する略円筒形状の上側部分２７と、鍔部２８を隔てて上側部分２７の下方に形成される略円筒形状の中間部分２９と、中間部分２９の下方に連続して形成される円筒形状の下端部分３０とを備えて構成されている。そして、保持部品１３の上側部分２７に加圧部品１２のプッシュボタン部２１を収容し、中間部分２９に加圧部品の軸部２２を保持させ、下端部分３０に採血部品１１の上端部１６を保持させることにより、採血器具５０が組み付けられるようになっている。
【００２６】
鍔部２８は、左右両側が側方に突出する外鍔部３１と、内側に円形の通孔３２を有する内鍔部３３とにより構成されており、通孔３２は、その内径が、プッシュボタン部２１の下端面２４の外径より小さく、軸部２２の最大外径より大きくなるように形成されている。
【００２７】
中間部分２９は、通孔３２の内径と略同一の内径を有し、中間部分２９の周壁３４の前後面にはそれぞれ矩形状の開口３５が形成され、開口３５の下方の周壁内面には中心角が９０度を成すように４個の補強リブ３６が突設されている。
【００２８】
図１１〜図１３に示されているように、保持部品１３の中間部分の開口３５には、ロック部品３７が挿着されている。このロック部品３７は、各開口３５を閉塞する周壁部３８と、周壁部３８の上端部の前後端部同士をそれぞれ連結する上端連結部３９と、周壁部３８の中央部同士を連結する中央連結部４０と、周壁部３８の各下端部から互いに近接する方向に延出して対峙する係合部４１とにより構成されている。
【００２９】
周壁部３８の外面の上端部には解除操作部４２がそれぞれ前後方向に突設されており、この解除操作部４２の下部には傾斜面から成るガイド部４３が形成されている。上端連結部３９の中央には伸縮部４４が形成され、伸縮部４４は他の部分より細幅の部材を正面視でへの字状を成すように屈曲させることにより形成されている。また、中央連結部４０の中央には円形の通孔４５が形成されており、この通孔４５は、内径が軸部２２の最大外径より大きくなるように形成されている。さらに、対峙する係合部４１の間には略楕円形状の空間４６が形成されており、この空間４６の短径は通孔４５の内径より僅かに短く設定されている。これにより、採血器具５０の組み付け時には、この係合部４１が軸部２２の溝部２６を両側から挟持することにより軸部２２に係合し、加圧部品１２の動きが拘束されるようになっている。
【００３０】
収容部品１５は、上端部４７に開口部４８を備え、この開口部４８の内径は保持部品１３の中間部分２９の外径に略等しく、上端部４７に保持部品１３の中間部分２９が挿着可能となっている。また、上端部４７の外面は螺刻され、この上端部４７にキャップ（図示省略）が螺嵌可能となっている。
【００３１】
次に、上記した構成を備えた血液分離器具１０の使用方法について説明する。
【００３２】
先ず、検査対象者は、自分の手の指等に採血針（図示省略）を突き刺し、出血させ、採血部品１１の下端をその出血箇所に接触させる。そうすると、毛細管現象により、血液が中空部１７内に、微量（例えば、約６５μリットル）採取される。この時、採血部品１１の下端部に段差部４９が形成されていると共に、中空部１７内が互いに連通する細長空間１９ａ，１９ｂ，１９ｃに分割され、しかも、各細長空間１９ａ，１９ｂ，１９ｃを取り囲む周壁内面に凹凸部２０が形成されているため、中空部１７内への血液の採取作業を容易且つ確実に行うことができる。
【００３３】
次いで、図１に示すように、採血部品１１に血液を採取した採血器具５０を、上端部４７の開口部４８から収容部品１５内に挿着すると、ロック部品３７の解除操作部４２が収容部品１５の上端部４７の内面に押圧され、伸縮部４４が収縮して上端連結部３９が中央連結部４０を支点に内側方向に移動する。
【００３４】
この上端連結部３９の動きに伴い、係合部４１は反対に中央連結部４０を支点に互いに離間する方向（すなわち、外側方向）に移動し、係合部４１と軸部２２の溝部２６との係合状態が解除される。そこで、この時、プッシュボタン部２１を下方に押圧すると、加圧部品１２は保持部品１３内で押し下げられ、加圧面２５が採血部品１１の上方のエアーを加圧するため、中空部１７内の血液は採血部品１１の下端から希釈液１４内に滴下される。また、この時、採血部品１１の下端と収容部品１５内の希釈液１４の表面との間に僅かな隙間５１が形成されているため、希釈液１４の表面張力により、採血部品１１から安定した量の血液を簡単に取り出すことができる。
【００３５】
この場合、毛細管現象で血液を吸引可能な筒状の採血部品１１を使用しているため、この希釈液１４中では、容易に血液成分を分散させることが可能となり、血液は血球及び細胞成分と血漿又は血清に容易に分離される。また、解除操作部４２の下部に傾斜面からなるガイド部４３が形成されており、しかも上端連結部３９の中央に伸縮部４４が形成されているため、収容部品１５に対する採血器具５０の挿着、及び係合部４１と軸部の溝部２６との係合状態の解除を円滑且つ確実に行うことができる。
【００３６】
その後、使用済みの採血器具５０を収容部品１５から引き抜き、血液を収容した収容部品１５の上端部４７に前記キャップを螺嵌して検査場所まで搬送し、所定項目の検査を行う。
【００３７】
このように本発明の実施の形態に係る血液分離器具１０によれば、採血後直ぐにその場で血液を血球及び細胞成分と血漿又は血清とに分離させ、希釈液に混入させた状態で検査場所に搬送しているので、搬送中の溶血、血液の凝固等を防止することができる。したがって、血液の保存性がよく、検査精度の向上を図ることができる。また、採取した血液を１週間程度は常温で保存可能であり、搬送を迅速に行ったり、採血場所と検査場所の地域性を考慮したりする等の配慮が不要となり、作業の自由度を向上させることが可能となる。さらに、血液の分離に遠心分離器を使用しないので採血量が数滴で済み、自己採血により、従来の一般採血と同程度の項目について検査することができる。
【００３８】
なお、上記実施の形態では、本発明を自己採血で使用する場合について説明したが、一般採血においても使用可能であることは言う迄もない。
【符号の説明】
【００３９】
１０          血液分離器具
１１          採血部品（採血手段）
１２          加圧部品（加圧手段）
１３          保持部品（保持手段）
１４          希釈液
１５          収容部品（収容手段）
１９ａ，１９ｂ，１９ｃ  細長空間
２０          凹凸部
２１          プッシュボタン部
２２          軸部
２５          加圧面
３７          ロック部品（ロック手段）
４１          係合部
４２          解除操作部
４７          端部
４８          開口部
５１          隙間
【図１】
2011122900.tif 000003
【図２】
2011122900.tif 000004
【図３】
2011122900.tif 000005
【図４】
2011122900.tif 000006
【図５】
2011122900.tif 000007
【図６】
2011122900.tif 000008
【図７】
2011122900.tif 000009
【図８】
2011122900.tif 000010
【図９】
2011122900.tif 000011
【図１０】
2011122900.tif 000012
【図１１】
2011122900.tif 000013
【図１２】
2011122900.tif 000014
【図１３】
2011122900.tif 000015